(57)【要約】      （修正有）【課題】取得する画像や映像データの縦横比などの画面形状が異なる場合でも、表示画面全体に有効的に表示させる。【解決手段】相互に回転可能な第１のケーシングと第２のケーシングとの少なくとも２つのケーシングから構成され、第１の情報ソースと第２の情報ソースとの少なくとも２種類の情報ソースを処理可能な携帯情報端末であって、回転に基づく第１のケーシングと第２のケーシングとの間の相対位置の違いに基づき、第１の情報ソースと第２の情報ソースとのいずれを処理するかが切り替わる。これにより、取得する画像、映像データの縦横比などの画面形状が異なる場合でも、表示画面全体に有効的に表示することが可能な携帯情報端末を提供する。更に従来の片手操作の操作性と両手での素早い入力操作性の両方を備える携帯情報端末を提供する。【選択図】図１
2008061262.tif 000002
【特許請求の範囲】
【請求項１】
互いの相対位置を変更できる第１のケーシングと第２のケーシングとの少なくとも２つのケーシングから構成され、第１の情報ソースと第２の情報ソースとの少なくとも２種類の情報ソースを処理可能な携帯情報端末であって、
前記相対位置の変更動作に応じて、前記第１の情報ソースと第２の情報ソースとのいずれを処理するかが切り替わることを特徴とする携帯情報端末。
【請求項２】
互いの相対位置を変更できる第１のケーシングと第２のケーシングの少なくとも２つのケーシングから構成され、第１の情報ソースと第２の情報ソースとの少なくとも２種類の情報ソースを処理可能な携帯情報端末であって、
前記相対位置の変更動作に応じて、前記第１の情報ソースと前記第２の情報ソースとのいずれか一方を処理するか、又は、前記第１の情報ソースと前記第２の情報ソースとの両方を処理するか、が切り替わることを特徴とする携帯情報端末。
【請求項３】
前記第１の情報ソースが地上デジタル放送に基づく情報ソースであり、前記第２の情報ソースが無線通信回線に基づく情報ソースであることを特徴とする請求項１又は２に記載の携帯情報端末。
【請求項４】
前記第１の情報ソースが地上デジタル放送に基づく情報ソースであり、前記第２の情報ソースが地上デジタル放送以外の情報ソースであることを特徴とする請求項１又は２に記載の携帯情報端末。
【請求項５】
前記第２の情報ソースが地上デジタル放送に基づく情報ソースとは表示の縦横比の異なる情報ソースであることを特徴とする請求項３又は４に記載の携帯情報端末。
【請求項６】
前記第２の情報ソースによる表示が、前記第１の情報ソースによる表示とは表示の縦横比が異なることを特徴とする請求項１又は２に記載の携帯情報端末。
【請求項７】
前記相対位置の変更前後の表示の縦横比が異なることを特徴とする請求項１又は２に記載の携帯情報端末。
【発明の詳細な説明】
【技術分野】
【０００１】
本発明は携帯情報端末に関し、少なくとも２種類の情報ソースを処理可能な携帯情報端末に関する。
【０００２】
特に、表示性能と操作性を向上させる技術であり、より具体的には、例えば地上デジタル放送の放送映像画面と携帯電話の通信情報画面など画面形状が異なる情報ソースを、映像表示部全体へ有効的に表示することができ、更に両手での快適な入力操作が可能な携帯情報端末に関するものである。
【背景技術】
【０００３】
近年、デジタル移動体通信におけるデータ通信速度の広帯域、高速化が進んでいる。携帯電話やＰＤＡ（Ｐｅｒｓｏｎａｌ  Ｄｉｇｉｔａｌ  Ａｓｓｉｓｔａｎｔ）などの携帯情報端末において、文字や画像などを含む情報ソース（データ）を手軽に送受信することが可能となってきた。
【０００４】
従来はパーソナルコンピュータ（ＰＣ）により閲覧していたインターネットのＷｅｂサイトなどに対しても、携帯情報端末からアクセス可能となってきた。現在では、携帯端末用のＷｅｂサイトも多数存在している。それに伴い、携帯情報端末に搭載される液晶表示装置（ＬＣＤ）などの映像表示部も、フルカラー化、大画面化、高画質化が進んできている。
【０００５】
さらに、通信回線経由のコンテンツ配信技術も進展してきており、ユーザーは高度なＧＵＩ（Ｇｒａｐｈｉｃ  Ｕｓｅｒ  Ｉｎｔｅｒｆａｃｅ）機能を備えるコンテンツ／プログラムデータを、携帯情報端末にダウンロードし実行させることも可能となってきている。例えば、コンテンツデータとしてゲームソフトなどがダウンロードでき、ダウンロードしたゲームを、携帯情報端末を操作してプレイすることも可能となっている。
【０００６】
現在のアナログ放送に代わる新しい放送方式として、地上デジタル放送の開発が進んでいる。地上デジタル放送の技術規格であるISDB-T(Integrated Services Digital Broadcasting-Terrestrial)では、変調方式に多数の搬送波(キャリア)を使う直交波周波数分割多重（OFDM）が採用され、ビルによる反射などで形成される複数の伝播経路(マルチパス)によるゴーストの抑制も可能となっている。
【０００７】
ISDB-Tでは、移動体端末においても安定した受信が可能となることが大きな特徴の一つとして挙げられている。従って、ＰＤＡや携帯電話などの移動体端末を用いて地上デジタル放送を受信するサービスも準備されている。また広帯域の伝送路を生かしたデータ放送も検討されており、一般通信回線を経由してダウンロードしたコンテンツよりもリッチで高度なコンテンツの配信サービスに関しても大きな期待が寄せられている。
【０００８】
今後、一般通信回線経由の情報ソースと地上デジタル放送等を経由した情報ソースとの少なくとも２種類の情報ソースを処理できる新たな携帯情報端末が急速に普及すると考えられる。
【発明の開示】
【発明が解決しようとする課題】
【０００９】
ところが、一般通信回線経由の情報ソースと地上デジタル放送の情報ソースとのように、２種類の異なる情報ソースの処理を携帯情報端末において可能にするためには以下の問題点が存在する。
【００１０】
第１の問題は表示画面に関するものである。この問題に関して第１３図を参照して説明する。第１３図は、一般的な携帯電話の外観を示す図である。
【００１１】
第１３図に示すように、一般的な携帯電話には、表示画面１０とその下部に操作ボタン部とが設けられている。一般的に、携帯電話の表示画面は縦長である。さらに、一般通信回線経由で得られるＷｅｂサイトの画面形状も概して縦長の画面形状となっている。
【００１２】
これに対して、地上波デジタル放送によって放送される映像は、従来のアナログ放送やテレビ受信機との共通化を図るため横長の画面形状が適用される。
【００１３】
従って、従来の携帯電話に備えられている縦長の表示画面１０に、デジタル放送による映像を表示させた場合には、表示画面全体に映像を表示することができない。すなわち、第１３図に示すように、映像表示部１０の一部分１０ａに画像を表示させることになる。第１３図中、映像表示部１０の領域１０ｂは映像表示には利用されず、無効領域となる。映像表示画面１０全体に表示できる方が好ましい。
【００１４】
携帯情報端末の表示画面に関する従来技術として、特開平１１−５５７２４号公報に、表示画面部１０を回転させることにより、長い文字列を一行で表示することが可能なディスプレイを備えた携帯電話が開示されている。上記公報において開示されている携帯電話の表示部は、単なる文字列の表示であり、画像や映像を表示する携帯電話に適用することは難しい。
【００１５】
第２の問題は操作性に関するものである。現在の携帯情報端末では、ゲームコンテンツをダウンロードし実行することが可能なものがある。ゲームの操作は素早いボタン入力が必要不可欠であり、例えばゲーム専用機のコントローラーでは両手を用いて素早くボタン入力ができるように設計されている。地上デジタル放送によるデータ放送サービスが開始されると、更にリッチで、高度なコンテンツがダウンロード可能となり、その入力操作性の向上が更に求められている。
【００１６】
しかしながら、一般的な携帯電話においては、小型化に対する要求が強く、通常は電話番号の入力や画面のスクロールのみを行えばよいため、ボタン操作部は、片手で持つのに適した細長い形状で、片手でボタン入力操作しやすいように設計されている。従って、両手では保持しにくく、両手で素早く入力操作を行うことは難しかった。片手で持ちやすく、扱いやすい操作性は今後も必要であるが、加えて、両手で快適かつ素早く入力しやすい構造も求められている。
【００１７】
本発明は以上の問題を解決するためになされたものであり、まとめると以下を目的としている。
【００１８】
本発明の目的は、２種類の異なる情報ソースに対応できる新たな携帯情報端末を提供することにある。より具体的には、 取得する画像や映像データの縦横比などの画面形状が異なる場合でも、表示画面全体に有効的に表示することが可能な携帯情報端末を提供することと、 従来の片手操作の操作性に加え、両手での素早い入力操作性の両方を備える携帯情報端末を提供することである。
【課題を解決するための手段】
【００１９】
（１）本発明によれば、相対位置の変更が可能な第１のケーシングと第２のケーシングとの少なくとも２つのケーシングから構成され、第１の情報ソースと第２の情報ソースとの少なくとも２種類の情報ソースを処理可能な携帯情報端末であって、例えば回転に基づく前記第１のケーシングと前記第２のケーシングとの間の相対位置の違いに基づき、前記第１の情報ソースと前記第２の情報ソースとのいずれを処理するかが切り替わるか又は前記第１の情報ソースと前記第２の情報ソースとの両方を処理するかが切り替わることを特徴とする携帯情報端末が提供される。
【００２０】
（２）また、前記第１のケーシングは前記第１又は第２の情報ソースからの情報を表示する映像表示部を含むとともに、前記第２のケーシングは操作ボタンが配置される操作ボタン部を含み、処理対象となった情報ソースが前記映像表示部に表示されるように前記映像表示部の表示も切り替わることを特徴とする（１）に記載の携帯情報端末が提供される。
【００２１】
上記構成により、情報ソースから取得する画像や映像データの縦横比などの画面形状が異なる場合でも、映像表示画面を回転により相対位置を変更させて表示することができ、結果的に表示画面を無駄にすることなく、全体に表示することが可能となる。更に情報ソースの切り替えをケーシングの回転といった直感的操作で行うことができ、ユーザーの使い勝手が向上する。
【００２２】
（３）前記第１のケーシングと前記第２のケーシングとの相対位置が初期位置から略９０度回転した際に、前記第１の情報ソースと前記第２の情報ソースとの処理が切り替えることを特徴とした（１）又は（２）に記載の携帯情報端末が提供される。
【００２３】
９０度回転した状態で切り替えることにより、操作ボタン部を回転させる前の状態と同じく保持したまま、９０度回転し縦横が変更された映像表示部を視聴することが可能となる。
【００２４】
（４）また、前記第１のケーシングと前記第２のケーシングとの相対位置が初期位置から略１８０度回転した際に、前記第１の情報ソースと前記第２の情報ソースとの処理が切り替えることを特徴とした（１）又は（２）に記載の携帯情報端末が提供される。
【００２５】
１８０度回転した状態で切り替えることにより、本体をケーシングの回転と逆方向に９０度回転させて保持する必要があるが、（３）と比較して本体全体が一体感があるコンパクトな形状で保持可能となる。
【００２６】
（５）また、上記（２）に記載の携帯情報端末であって、前記映像表示部に表示される表示内容に対応させて、前記操作ボタン部の操作ボタンに割り当てられた操作内容も変更されることを特徴とした携帯情報端末が提供される。
【００２７】
この構成により、切り替わった情報ソースを操作するのに適した操作ボタン配置となり操作性が向上する。
【００２８】
（６）また、上記（５）に記載の携帯情報端末であって、前記第１のケーシングと前記第２のケーシングとの相対位置が初期位置から略１８０度回転した際に、前記操作ボタンに割り当てられた操作内容が変更されることを特徴とした携帯情報端末が提供される。
【００２９】
この構成により、本体を１８０度回転させ本体全体を横長の形状として両手で快適に保持し、操作することが可能となる。結果的にゲームコンテンツなど素早い入力操作が必要な場合でも、ゲーム機のコントローラーのように両手で素早いボタン操作が可能となる。
【００３０】
（７）また、上記（５）に記載の携帯情報端末であって、前記操作ボタンに割り当てられた操作内容の変更に対応させて、前記操作ボタンの表示も変更されることを特徴とした携帯情報端末が提供される。
【００３１】
この構成により、変更された操作ボタンの内容が視覚的に確認可能であり、ユーザーは間違いなくボタン操作を行うことができる。
【００３２】
（８）また、上記（１）から（７）までのいずれかに記載の携帯情報端末であって、前記第１の情報ソースが地上デジタル放送に基づく情報ソースであり、前記第２の情報ソースが無線通信回線に基づく情報ソースであることを特徴とする携帯情報端末が提供される。
【００３３】
この構成により、地上デジタル放送の情報ソースから取得する横長のテレビ画面と無線通信回線から取得する縦長の画面の両方を、表示画面を無駄にすること無く有効的に表示することが可能となる。
【００３４】
（９）また、前記第１のケーシングと前記第２のケーシングとの相対位置が初期位置から略９０度回転した際に、前記第１の情報ソースと前記第２の情報ソースの両方を処理するか、或いは、一方を処理するかが切り替わることを特徴とする携帯情報端末が提供される。
【００３５】
以上の構成により、両方の情報ソースを画面分割して視聴するか、一方の情報ソースを全画面に表示するかの切り替えが可能となる。複数の情報ソースを視聴している時に、特に注目して視聴したい情報ソースになった場合にその情報ソースを全画面で視聴するといった視聴方法を提供可能となる。
【００３６】
（１０）また、前記第１のケーシングと前記第２のケーシングとの相対位置が初期位置から略１８０度回転した際に、前記第１の情報ソースと前記第２の情報ソースの両方を処理するか、或いは、一方を処理するかが切り替わることを特徴とした携帯情報端末が提供される。
【００３７】
以上の構成により、上記の効果に加え、本体全体が一体感のあるコンパクトな形状となるため、ユーザーが快適に保持することが可能となる。
【００３８】
（１１）また、前記回転は、前記第１のケーシングと前記第２のケーシングとの折り畳み方向の回転であり、回転した後の相対位置が閉状態から略２７０度以上に回転した際に、前記第１の情報ソースと前記第２の情報ソースとの処理が切り替わることを特徴とする携帯情報端末が提供される。
【００３９】
この構成により、閉状態から例えば２７０度以上開いたケース形状は、机などの上に容易に設置して表示画面を視聴することできるため、視聴中にキー操作を必要とせず、装置を手で保持する必要がない情報ソースの視聴に適した視聴方法を提供可能となる。
【００４０】
（１２）また、前記回転は、前記第１のケーシングと前記第２のケーシングとの折り畳み方向の回転であり、回転した後の相対位置が閉状態から略３６０度回転した際に、前記第１の情報ソースと前記第２の情報ソースとの処理が切り替わることを特徴とする携帯情報端末が提供される。
【００４１】
（１２）によれば、前記第１のケーシングと前記第２のケーシングが折り畳み方向に回転し、その相対位置が閉状態から約３６０度開いた際、前記第１の情報ソースと前記第２の情報ソースとの処理が切り替わることを特徴とした上記（１）又は（２）に記載の携帯情報端末を提供可能となる。閉状態から３６０度開いたケース形状は閉状態と同じく折り畳まれたコンパクトな形状となるため、快適に保持し視聴することが可能となる。
【００４２】
（１３）また、前記回転は、前記第１のケーシングと前記第２のケーシングとが形成する平面内での回転であることを特徴とする携帯情報端末が提供される。
【００４３】
（１４）また、前記回転は、前記第１のケーシングと前記第２のケーシングとの折り畳み方向の回転であること特徴とする携帯情報端末が提供される。
【００４４】
（１５）前記回転は、前記第１のケーシングと前記第２のケーシングとが形成する平面内での回転と、前記第１のケーシングと前記第２のケーシングとの折り畳み方向の回転との両方を含むこと特徴とする携帯情報端末が提供される。
【００４５】
（１６）また、前記回転は、前記第１のケーシングと前記第２のケーシングとの折り畳み方向の回転あり、回転した後の相対位置が閉状態から略３６０度回転した際に、前記第１の情報ソースと前記第２の情報ソースとの処理が切り替わることを特徴とする携帯情報端末が提供される。
【００４６】
（１７）また、互いの相対位置を変更できる第１のケーシングと第２のケーシングとの少なくとも２つのケーシングから構成され、第１の情報ソースと第２の情報ソースとの少なくとも２種類の情報ソースを処理可能な携帯情報端末であって、前記相対位置の変更動作に応じて、前記第１の情報ソースと前記第２の情報ソースとのいずれを処理するかが切り替わるか又は前記第１の情報ソースと前記第２の情報ソースとの両方を処理するかが切り替わることを特徴とする携帯情報端末が提供される。
【発明の効果】
【００４７】
以上説明したように、上記（１）に記載の発明に係る携帯情報端末においては、情報ソースの切り替えを、例えば、ケーシングの回転といった直感的操作で行うことができ、ユーザーの使い勝手が向上する。
【００４８】
さらに、上記（２）に記載の発明に係る携帯情報端末は、情報ソースから取得する画像や映像データの縦横比などの画面形状が異なる場合でも、映像表示画面を回転させて表示することができ、結果的に表示画面を無駄にすることなく有効的に表示することが可能となる。
【００４９】
さらに、上記（３）に記載の発明に係る携帯情報端末は、操作ボタン部を回転させる前の状態と同じく保持したまま、９０度回転し縦横が変更された映像表示部を視聴することが可能となる。
【００５０】
さらに、上記（４）に記載の発明に係る携帯情報端末は、本体を９０度回転させて保持する必要があるが、上記（３）と比較して本体全体が一体感があるコンパクトな形状で保持可能となる。
【００５１】
さらに、上記（５）に記載の発明に係る携帯情報端末は、切り替わった情報ソースを操作するのに適した操作ボタン配置となり操作性が向上する。
【００５２】
さらに、上記（６）に記載の発明に係る携帯情報端末は、本体を９０度回転させ本体全体を横長の形状として両手で快適に保持し、操作することが可能となる。結果的にゲームコンテンツなど素早い入力操作が必要な場合でも、ゲーム機のコントローラーのように両手で素早いボタン操作が可能となる。
【００５３】
さらに、上記（７）に記載の発明に係る携帯情報端末は、変更された操作ボタンの内容が視覚的に確認可能であり、ユーザーは間違いなくボタン操作を行うことができる。
【００５４】
さらに、上記（８）に記載の発明に係る携帯情報端末は地上デジタル放送の情報ソースから取得する横長のテレビ画面と無線通信回線から取得する縦長の画面の両方を、表示画面を無駄にすること無く効率的表示することが可能となる。
【００５５】
さらに、上記（９）から上記（１２）によれば、初期位置からの回転角度に応じて情報ソースの両方又は一方を変更して表示させることができる。また、上記（１５）によれば、第１のケーシングと第２のケーシングとが折り畳み方向に回転する場合にも、初期位置からの回転角度に応じて情報ソースの両方又は一方を変更して表示させることができる。
【発明を実施するための最良の形態】
【００５６】
以下、本発明の各実施の形態について説明する。
まず、本発明の第１の実施形態による携帯情報端末について第１図から第７図までを参照して説明する。第１図は、本発明の第１の実施の形態による携帯情報端末の表面図である。
【００５７】
第１図に示すように、本実施の形態による携帯情報端末Ａは、例えばＬＣＤなどを用いて構成された映像表示部１１を備えた映像表示ケーシング１０と、複数の操作ボタン１３を備えた操作ボタンケーシング１２とを有している。さらに、映像表示ケーシング１０と操作ボタンケーシング１２とは、回転機構部１５によって相対的に回転可能になっている。映像表示ケーシング１０と操作ボタンケーシング１２とは、対向面において当接する初期状態と、両者の対向面が例えば一端部（回転軸）を除いて離れる回転状態とを有している。
【００５８】
図においては、映像表示ケーシング１０と操作ボタンケーシング１２との接続部であって、図示左端部に回転機構部１５が設けられている。回転機構部１５を中心として、映像表示ケーシング１０と操作ボタンケーシング１２とは、表示画面の面内において相対的に回転する。操作ボタンケーシング１２には、情報ソースの判定を行う判定ボタン１６が設けられている。
【００５９】
映像表示ケーシング１０と操作ボタンケーシング１２との間の回転角度が０度の状態である基本ポジションＡ１と、回転角度が９０度であり図１中において破線で表示された９０度回転ポジションＡ２と、回転角度が１８０度であり図１において点線で示された１８０度回転ポジションＡ３との少なくとも３種類の相対位置関係をとることができる。回転角度９０度及び１８０度の位置でホールドするように回転機構部１５にストッパー機構を設けても良い。
【００６０】
映像表示ケーシング１０は、無線伝送の情報ソースを受信するアンテナ１４と、音声を出力するスピーカ（図示省略）が設けられている。操作ボタンケーシング１２には、マイクロフォン（図示省略）が組み込まれている。映像表示ケーシング１０及び操作ボタンケーシング１２の他に、例えば開閉蓋などをケーシングに追加することも可能である。
【００６１】
第２図は、本実施の形態による携帯情報端末の構成を示す機能ブロック図である。
第２図に示すように、携帯情報端末は、映像表示部１１と、アンテナ１４と、判定ボタン１６とを有している。さらに、携帯情報端末は、ＲＦ部２２と、切替部２３と、第１情報処理部２４ａと第２情報処理部２４ｂと回転判定部２６とを有している。
【００６２】
無線伝送される情報ソースは、アンテナ１４とＲＦ部２２とにより受信される。切替部２３は、受信された情報ソースを第１及び第２情報処理部２４ａ、２４ｂのいずれか一方に出力する。２つの情報処理部２４ａ、２４ｂのいずれに出力するかの選択は、回転判定部２６からの指示により行われる。
【００６３】
第３図は、携帯情報端末を基本ポジションＡ１（第１図）において用いている様子を示す図である。第４図は、携帯情報端末を９０度回転ポジションＡ２（第１図）において用いている様子を示す図である。尚、回転角度である９０度は、多少のずれを有していても良い。
【００６４】
回転判定部２６は、回転機構部１５の回転状態、すなわち映像表示ケーシング１０と操作ボタンケーシング１２との相対位置を判定する。判定結果は、切替部２３に出力される。
【００６５】
より具体的には、第３図に示すように、基本ポジション、すなわち、回転角度が０度であり、映像表示ケーシング１０と操作ボタンケーシング１２との相対位置が、携帯情報端末全体として直方体の形状になっているか、第４図に示すように９０度回転ポジション、すなわち回転角度が９０度で、映像表示ケーシング１０と操作ボタンケーシング１２との相対位置がＬ字型の形状になっているかを判定し、その情報を切替部２３に送る。
【００６６】
回転判定部２６による判定方法の一例について、第７図を参照して説明する。第７図は、第１図に示される判定ボタンの詳細な構造を例示するための部分拡大図である。
【００６７】
第７図に示すように、判定ボタンは、映像表示ケーシング１０に備えられた突起部６１と、操作ボタンケーシング１２に設けられたＯＮ／ＯＦＦスイッチ６２とを含んで構成される。ＯＮ／ＯＦＦスイッチ６２は、凹部を有しており、突起部６１を受け入れることができる。ＯＮ／ＯＦＦスイッチ６２中に突起部６１が挿入されるとＯＮ状態と判定され、突起部６１がＯＮ／ＯＦＦスイッチ６２中から離れるとＯＦＦとなるスイッチである。
【００６８】
映像表示ケーシング１０と操作ボタンケーシング１２の相対位置が第３図に示す基本ポジション（第１図）にある時には、ＯＮ／ＯＦＦスイッチ６２がＯＮになる。第４図に示す９０度回転ポジション（第１図）の状態において、ＯＮ／ＯＦＦスイッチ６２はＯＦＦになる。
【００６９】
その他、回転機構部１５に回転式可変抵抗を設け、回転判定部２６がその抵抗値に基づいて回転角度を判定する原理を有する電気的判定機構によってポジションを判定することも可能である。
【００７０】
切替部２３は、回転判定部２６からの判定結果に基づき、選択された結果に基づいて予め定められている方の情報ソースを出力する。２つの情報処理部２４のうちの例えば第１の情報処理部２４ａは、例えば従来の携帯電話が通信回線経由で受信する縦長形状の画面データを表示する情報ソースを処理する機能を備えている。具体的には、携帯電話用Ｗｅｂサイトをブラウズする機能や電話の着信発信に関する電話番号などの情報を表示する機能を備えている。
【００７１】
もう一方の、例えば第２の情報処理部２４ｂは、横長形状の画面データである、例えば地上波デジタル放送を映像ソースとして処理する機能を備えている。処理機能としては、具体的にはＯＦＤＭ復調、デコード処理を行い、映像信号を復元し映像表示部に表示する機能が含まれる。
【００７２】
第２図においては、２種類の情報ソースに対応可能な１本のアンテナ１４と、１つのＲＦ部２２とを備えている。
【００７３】
尚、アンテナとＲＦ部とを情報処理部の数と同じだけ設けた構成をとることも可能である。第６図に、かかる構成を有する携帯情報端末の機能ブロック図を示す。
【００７４】
例えば、第６図は、アンテナ部１４（１４ａ、１４ｂ）とＲＦ部２２（２２ａ、２２ｂ）とを、情報処理部２４（２４ａ、２４ｂ）の数すなわち２つ備えた構成となっている。切替部２３がアンテナ部１４（１４ａ、１４ｂ）とＲＦ部２２（２２ａ、２２ｂ）の選択を行うことができる。従って、第１または第２の情報処理部２４ａ、２４ｂがそれぞれ処理する、異なる情報ソースを受信するのに適したアンテナ特性やＲＦ特性を具備するように適正化した装置を設計することが可能である。情報処理部２４及びアンテナ部１４とＲＦ部２２とを３つ以上備えた構成も可能である。
【００７５】
上記第１実施形態による携帯情報端末の使用方法の例について、第３図から第５図までを参照して説明する。
【００７６】
ユーザーは、第３図に示す状態（基本ポジション）において、携帯情報端末を把持して使用する。この状態においては、映像表示部１１は縦長形状であるため、例えば映像ソースを処理するのに適した第１情報処理部２４ａが切替部２３により選択され、その内容が映像表示部１１に表示される。
【００７７】
ユーザーが、操作ボタンケーシング１２に対して映像表示ケーシング１０を回転させると、回転判定部２６により回転動作が検出される。その結果が切替部２３に連絡される。切替部２３は、情報ソースの出力先を、例えば地上デジタル放送など縦長形状の画面を取得する情報ソースを処理するのに適した例えば第２の情報処理部２４ｂに切り替える。ユーザは、第４図に示すように、携帯情報端末を保持し横長形状の映像表示部全体に表示された放送映像画面を視聴することができる。
【００７８】
第５図（ａ）及び（ｂ）を参照して、携帯情報端末を９０度回転させた９０度回転ポジションにおける、映像表示ケーシング１０と操作ボタンケーシング１２との保持機構に例について説明する。
【００７９】
第５図（ａ）は、携帯情報端末を９０度回転させた９０度回転ポジションＡ１における状態を表面側から見た図である。第５図（ａ）に示すように、表面視、回転機構部１５と左右反対側に、例えば２つのレバー１ａ、１ｂとを含むリンク機構３が設けられている。第５図（ｂ）は、携帯情報端末を９０度回転させた９０度回転ポジションＡ１における状態を裏面側から見た図である。第５図（ｂ）に示すように、映像表示ケーシング１０と操作ボタンケーシング１２との裏面視、回転機構部１５と反対側に、レバー１ｂの回転軸５ｂと突起部１ｃとがそれぞれ設けられている。一方、レバー１ａの先端には突起部１ｃに引っかけることによりレバー１ａを仮固定できるフック１ｃが設けられている。
【００８０】
９０度回転ポジションＡ１において、突起部５ａにフック１ｃを引っかけることにより、表示ケーシング１０と操作ボタンケーシング１２とを９０度回転ポジションにおいて固定することができる。フック１ｃを突起部５ａから外せば、表示ケーシング１０と操作ボタンケーシング１２との固定状態は解除される。
【００８１】
その他、回転機構部１５のトルクを９０度回転ポジションにおいて大きくする機構を設けても良い。もちろん、固定機構を省略しても良い。
【００８２】
尚、ケーシング１０、１２間のインターフェイスとしては、フレキシブルケーブルなどを用いて両者間を接続すれば良い。
【００８３】
本発明の第１の実施例形態による携帯情報端末は、情報ソースの切り替えを映像表示ケーシング１０の回転といった直感的操作で行うことができ、かつ、情報ソースから取得する画像や映像データの縦横比などの画面形状が異なる場合でも映像表示部１１を回転させて表示することで表示画面全体に有効的に表示することが可能となる。
【００８４】
上記第１の実施形態における切替部２３の別動作に基づく使用方法について、第１４図と第６図と第４図を用いて説明する。第１４図に示す状態（基本ポジション）において、切替部２３は、第６図中の第1情報処理部２４ａと第２情報処理部２４ｂの両方を選択し、映像表示部１１は両方の情報ソースが画面を分割した形で表示される。第１４図中の１４１は第２情報処理部２４ｂで処理された地上デジタル放送の放送映像画面であり、１４２は第１情報処理部２４ａで処理されたＷｅｂ画面である。ユーザーが操作ボタンケーシング１２に対して映像表示ケーシングを回転させると、回転判定部２６により回転動作が検出され、切替部２３は、例えば地上デジタル放送などの縦長形状の情報ソースを処理するのに適した第２情報処理部２４ｂのみを選択する。その結果、ユーザーは第４図に示す映像表示部全体に表示された放送映像画面を視聴することができる。
【００８５】
次に、本発明の第２の実施の形態による携帯情報端末について第８図から第１２図までを参照して説明する。第８図は本実施の形態による携帯情報端末の利用例を説明する平面図である。
【００８６】
第８図に示すように、映像表示ケーシング１０を１８０度回転させた状態で、携帯情報端末全体をケーシングの回転方向と逆方向に９０度回転させて保持し、使用する。携帯情報端末全体を９０度回転させて保持することにより、携帯情報端末の形状を横長の形状として用いることができる。第８図に示すように、両手で快適に保持可能であり、両手よるボタン入力操作が容易になる。
【００８７】
第９図は、本実施の形態による携帯情報端末の構成を示す機能ブロック図である。第１の実施形態による携帯情報端末と同様の方法により、回転判定部２６により映像表示ケーシング１０の回転を検出する。基本ポジションから１８０度回転した１８０度回転ポジション（Ａ３；第１図）の場合に、切替部２３が映像ソースを出力する情報処理部２４を第１情報処理部２４ａから第２情報処理部２４ｂに切り替える。
【００８８】
尚、上記第一実施例の切替部２３の別動作として説明したように、基本ポジションにおいて切替部２３が第1情報処理部２４ａと第２情報処理部２４ｂとの両方を選択し、映像表示部１１には両方の情報ソースが画面を分割した形で表示され（第１４図）、１８０度回転した時に第２情報処理部２４ｂのみを選択することも可能である。
【００８９】
本実施の形態による携帯情報端末が第１の実施形態による情報携帯端末と異なる点は、ボタン変更部と操作ボタンとが追加されている点である。ボタン変更部は回転判定部１６からの判定結果に基づき操作ボタンケーシング１２に配されている操作ボタンに割り当てられている機能（以下「キーアサイン」と称する。）を変更する。第１０図及び第１１図を参照して操作ボタンの具体的構成について説明する。
【００９０】
第１０図及び第１１図において、符号Ｘは、第３図に示す基本ポジションからＡ１の状態で使用する場合のキーアサインを、Ｙは第８図に示す１８０度回転ポジションＡ３の状態で使用するキーアサインを示す。尚、符号Ｙの場合は、実際には第８図に示すように、操作ボタンケーシング１２は、Ｙ’の状態で使用することになる。
【００９１】
第１０図を参照して、電話番号の入力や放送チャンネルの選択を行う操作として多用される数字入力操作機能を例としてボタン変更部８１の動作例を説明する。第１０図中の各操作ボタンに記載されている数字が入力、選択される数字を示しており、例えば数字の１が記載されている操作ボタン９１を押すと、数字の“１”が入力され、或いは選択される。
【００９２】
第１０図中において、符号Ｙで示されるように、ボタン変更部８１（第９図）は、回転判定部２６（第９図）の判定結果に基づき、例えば操作ボタン９１のキーアサインを１（Ｘ）から４（Ｙ’）に変更するなど、各操作ボタンのキーアサインを変更する。その結果、第１０図に示されるように、キーアサインされた数字の並びや順番がＸとＹ’とで統一される。操作ボタンケーシング１２を９０度回転させても、ユーザーが混乱したり戸惑ったりすることもなく、正確かつ迅速に数字の入力操作を行うことができる。
【００９３】
第１１図にボタン変更部８１の別の動作例を示す。第１１図を参照して、画面のスクロールやカーソルの移動を行う上下左右の方向ボタン機能について具体例に説明する。第１１図中、Ｘの位置における操作ボタン１０１、１０２、１０３及び１０４には、それぞれ上下左右の方向ボタンがキーアサインされている。各ボタンを押すことによりスクロールやカーソルの移動方向を選択することができる。
【００９４】
ボタン変更部８１（第９図）は、回転判定部２６(第９図)における判定結果に基づき、操作ボタン１０１、１０２、１０３及び１０４のキーアサインを、それぞれ、右左上下の方向ボタンに変更することができる。その結果、第１１図のＹ’に示すように、方向ボタンのキーアサインと実際のボタンの位置関係とが一致する。ユーザーは、間違ったり迷ったりすることなく方向ボタンを選択することができる。尚、方向ボタンは、ゲームコンテンツをプレイする時にもよく使用される機能である。第８図に示すように、ユーザーは、携帯情報端末本体を両手で把持し、左手で方向ボタン（１０１，１０２、１０３及び１０４）を、右手で操作ボタン（１０５，１０６及び１０７）を操作することにより、ゲーム専用機のコントローラーと同様の操作感覚で素早い入力操作をすることが可能となる。
【００９５】
次に、本発明の第２の実施の形態の第１変形例による携帯情報端末について第１２図を参照して説明する。
【００９６】
第１変形例においては、操作ボタンのキーアサインの表示方法が第１０図の場合と異なる。第１２図は、操作ボタンの拡大図である。
【００９７】
第１２図に示すように、操作ボタン９１は、キーアサインされる２つの数字が記載された２つの操作表示部１１１及び１１２により構成されている。２つの操作表示部１１１と１１２とは選択的に点灯する。操作表示部１１１及び１１２の点灯の選択処理はボタン変更部８１により管理される。
【００９８】
Ｘの状態では、数字１が記載された操作表示部１１１が点灯する。Ｙの状態の時は、数字４が記載された操作表示部１１２が点灯する。キーアサインの変更に応じて操作ボタンの表示が変更されるため、ユーザーが間違いなく所望の操作ボタンを選択することができる。
【００９９】
以上説明したように、１８０度回転ポジションＡ３において、情報処理端末本体を９０度回転させ、本体全体を横長の形状として両手で快適に保持し、操作することが可能となり、結果的にゲームコンテンツなど素早い入力操作が必要な場合でも、ゲーム機のコントローラーのように両手で素早いボタン操作が可能となる。
【０１００】
更に、操作ボタンのキーアサインと機能表示を変更することで、ユーザーは違和感や間違いなく快適にボタン操作を行うことができる。
【０１０１】
尚、映像表示ケーシングと操作ボタンケーシングとの回転方向における位置に関する相対関係を基本ポジションＡ１から変更せずに、単に一体化された携帯情報端末を例えば９０度回転させて把持するとともに、表示部の画面表示を９０度回転させて表示させることも可能である。この際、キーアサインに関して第１０図から第１２図に示す構成にしておけば、横長の表示画面でゲームや映像を楽しむことが可能である。
【０１０２】
次に、本発明の第３の実施の形態による携帯情報端末について第１５図から第１７図までを参照して説明する。本発明の第３の実施の形態が上記第１の実施の形態と異なる点は、映像表示ケーシング１０と操作ボタンケーシング１２との回転動作であり、他の機能は第２図と同様である。
【０１０３】
第１５図は、本発明の第３の実施の形態による携帯情報端末の正面図と側面図である。第１５図（ａ）は正面図とそれに対応する側面図であり、第１５図（ｂ）は動作を示す側面図である。第１５図（ａ）、（ｂ）に示すように、本実施の形態による携帯情報端末では、映像表示ケーシング１０と操作ボタンケーシング１２は相対的に折り畳み回転が可能となっている。映像表示ケーシング１０と操作ボタンケーシング１２との折り畳み回転は完全に折り畳まれた状態である閉状態Ｂ１から、開閉角度が３６０度である３６０度開状態Ｂ４まで折り畳み回転が可能となっている。
【０１０４】
本発明の第３の実施の形態による携帯情報端末の使用方法の例について説明する。この携帯情報端末を使用していない時は、閉状態Ｂ１の状態で携帯する。ユーザーが、本情報端末を使用する時は、約１８０度開かれた状態（Ｂ２）となる。この状態においては、縦長形状の画面データを処理するのに適した第１情報処理部２４ａが切替部２３により選択され、その内容が映像表示部１１に表示される。ユーザーが開閉角度を約２７０度以上に開いた状態（Ｂ３）にすると、切替部２３は例えば地上デジタル放送を処理する第２情報処理部２４ｂを選択し、その結果、映像表示部１１には放送映像画面が表示される。
【０１０５】
第１６図に示すように、ユーザーは開閉角度２７０度以上開いた状態の携帯情報端末を机の上に設置して放送映像画面を視聴する。開閉角度２７０度以上開いた状態の携帯情報端末は、容易かつ安定して設置することができ、更に第１６図の点線で示すように映像表示ケーシング１０を使用者が見やすい角度に調節することも可能となり、視聴中にキー操作を必要とせず、装置を手で保持する必要がない視聴に最適な視聴方法を提供するこができる。
【０１０６】
本発明の第３の実施の形態による携帯端末の使用方法の別の例として、第１７図に示すように、ユーザーが携帯端末を３６０度開状態（Ｂ４）にした時に、切替部２３が例えば地上デジタル放送を処理する第２情報処理部２４ｂを選択し、映像表示部１１に放送映像画面を表示することも可能である。この使用例では、折り畳まれたコンパクトな形状で快適に保持しながら視聴することが可能となる。
【０１０７】
以上、実施の形態に沿って本発明を説明したが、本発明はこれらに制限されるものではない。その他、種々の変更、改良、組み合わせが可能なことは当業者に自明であろう。
【０１０８】
例えば、第１のケーシングと第２のケーシングとの間の位置関係の変更には、回転動作以外の動作、例えば、第１のケーシングに対して第２のケーシングが進退可能になっている場合などのように、第２のケーシングの進退動作に応じて処理が切り替わる場合も含まれる。
【産業上の利用可能性】
【０１０９】
本発明は携帯情報端末に利用可能である。
【図面の簡単な説明】
【０１１０】
【図１】本発明の第１の実施形態による携帯情報端末の平面図である。
【図２】本発明の第１実施形態よる携帯情報端末の構成を示す機能ブロック図である。
【図３】本発明の第１の実施形態による携帯情報端末の基本ポジションにおける使用状態を示す図である。
【図４】本発明の第１実施の形態の携帯情報端末の９０度回転ポジションにおける使用状態を示す図である。
【図５】第４図に示す携帯情報端末の固定方法の例を示す図であり、第５図（ａ）は正面から見た図であり、第５図（ｂ）は裏面から見た図である。
【図６】本発明の第１実施形態よる携帯情報端末の他の構成例を示す機能ブロック図である。
【図７】本発明の第１の実施形態による携帯情報端末における判定ボタンの機能を説明する図である。
【図８】本発明の第２の実施形態による携帯情報端末の平面図であり、使用状態を説明する図である。
【図９】本発明の第２の実施形態による携帯情報端末の構成を説明する機能ブロック図である。
【図１０】本発明の第２の実施形態による携帯情報端末における数字入力操作ボタンの具体的変更例を示す図である。
【図１１】本発明の第２の実施形態による携帯情報端末における方向操作ボタンの具体的変更例を示す図である。
【図１２】本発明の第２の実施形態による携帯情報端末における操作ボタンの表示の変更方法を示す図であり、操作ボタンの拡大図である。
【図１３】従来の携帯電話の構造を示す正面図である。
【図１４】本発明の第１の実施の形態による携帯情報端末の基本ポジションにおける使用状態の別例を示す図である。
【図１５】本発明の第３の実施の形態による携帯情報端末の回転動作を説明する図であり、第１５図（ａ）は正面図とそれに対応する側面図であり、第１５図（ｂ）は動作を示す側面図である。
【図１６】本発明の第３の実施の形態による携帯情報端末の２７０度以上開いた使用状態を示す図である。
【図１７】本発明の第３の実施の形態による携帯情報端末の３６０度開いた使用状態を示す図である。
【符号の説明】
【０１１１】
１１…映像表示部、１０…映像表示ケーシング、１２…操作ボタンケーシング、１３…複数の操作ボタン、１５…回転機構部、１６…判定ボタン。
【図１】
2008061262.tif 000003
【図２】
2008061262.tif 000004
【図３】
2008061262.tif 000005
【図４】
2008061262.tif 000006
【図５】
2008061262.tif 000007
【図６】
2008061262.tif 000008
【図７】
2008061262.tif 000009
【図８】
2008061262.tif 000010
【図９】
2008061262.tif 000011
【図１０】
2008061262.tif 000012
【図１１】
2008061262.tif 000013
【図１２】
2008061262.tif 000014
【図１３】
2008061262.tif 000015
【図１４】
2008061262.tif 000016
【図１５】
2008061262.tif 000017
【図１６】
2008061262.tif 000018
【図１７】
2008061262.tif 000019